(57)【要約】【課題】親機の設定値（例えば、表示部の画面のコントラスト値）を調整するためのボタン等を親機に設ける必要がない電話機を提供すること。【解決手段】子機３の主制御部３１は、無線部３６を介して、親機２の表示部２５の画面のコントラスト値を取得し、操作部３５を介して、コントラスト値の増減を受け付けた場合、無線部３６を介して、コントラスト値を増減したコントラスト値を、親機２に送信する。親機２の主制御部２１は、無線部２６を介して、コントラスト値を受信した場合、受信したコントラスト値に変更する。【選択図】図２
2018042050.tif 000002
【特許請求の範囲】
【請求項１】
子機と無線通信を行う第１無線部と、
第１制御部と、を備える親機と、
操作を受け付けるための操作部と、
前記親機と無線通信を行う第２無線部と、
第２制御部と、を備える前記子機と、を備え、
前記第２制御部は、
前記第２無線部を介して、前記親機の設定値を取得し、
前記操作部を介して、設定値の増減を受け付けた場合、前記第２無線部を介して、設定値を増減した設定値を、前記親機に送信し、
前記第１制御部は、
前記第１無線部を介して、設定値を受信した場合、受信した設定値に変更することを特徴とする電話機。
【請求項２】
前記子機は、スピーカーをさらに備え、
前記第２制御部は、前記操作部を介して、設定値の増減を受け付けたときに、設定値を増減した設定値が、設定値の上限、又は、下限である場合、前記スピーカーから警告音を出力することを特徴とする請求項１に記載の電話機。
【請求項３】
前記第２制御部は、前記操作部を介して、設定値の増減を受け付けたときに、設定値を増減した設定値が、設定値の上限、又は、下限である場合、設定値を増減した設定値を、前記親機に送信しないことを特徴とする請求項１又は２に記載の電話機。
【請求項４】
前記第１制御部は、
前記第１無線部を介して、設定値を受信した場合、受信した設定値に変更せず、受信した設定値を一時的に反映することを特徴とする請求項１〜３のいずれか１項に記載の電話機。
【請求項５】
前記第２制御部は、
前記操作部を介して、設定値の決定を受け付けた場合、前記第２無線部を介して、増減した設定値を登録する登録指示を、前記親機に送信し、
前記第１制御部は、
前記第１無線部を介して、前記登録指示を受信した場合、受信した設定値に変更することを特徴とする請求項１〜４のいずれか１項に記載の電話機。
【請求項６】
前記親機は、表示部をさらに備え、
前記親機の設定値は、前記表示部の画面のコントラスト値であることを特徴とする請求項１〜５のいずれか１項に記載の電話機。
【発明の詳細な説明】
【技術分野】
【０００１】
本発明は、電話機に関する。
【背景技術】
【０００２】
近年、親機と子機とが無線で通信するコードレス電話機において、スタイリッシュさ、シンプルさを訴求するために、可能な限り、親機に設けられるボタン等が削減されている。例えば、引用文献１に記載のコードレス電話機においては、親機に表示部が設けられていない。
【先行技術文献】
【特許文献】
【０００３】
【特許文献１】特開２０１２−１９９５９９号公報
【発明の概要】
【発明が解決しようとする課題】
【０００４】
親機に表示部（ＬＣＤ）が設けられている場合、表示部の画面のコントラストを調整するために、コントラスト値を調整するためのボタンが必要となる。しかしながら、上述のように、可能な限り、親機にボタンを設けたくはないという問題がある。図５は、従来の電話機の親機の外観を示す平面図である。図６は、従来の電話機の親機の外観を示す背面図である。図５に示すように、親機の上面には、コントラスト値を調整するためのアップボタン、ダウンボタン、機能／決定ボタンが設けられている。また、図６に示すように、親機の背面には、スピーカーが設けられている。
【０００５】
本発明の目的は、親機の設定値（例えば、表示部の画面のコントラスト値）を調整するためのボタン等を親機に設ける必要がない電話機を提供することである。
【課題を解決するための手段】
【０００６】
第１の発明の電話機は、子機と無線通信を行う第１無線部と、第１制御部と、を備える親機と、操作を受け付けるための操作部と、前記親機と無線通信を行う第２無線部と、第２制御部と、を備える前記子機と、を備え、前記第２制御部は、前記第２無線部を介して、前記親機の設定値を取得し、前記操作部を介して、設定値の増減を受け付けた場合、前記第２無線部を介して、設定値を増減した設定値を、前記親機に送信し、前記第１制御部は、前記第１無線部を介して、設定値を受信した場合、受信した設定値に変更することを特徴とする。
【０００７】
本発明では、子機の第２制御部は、第２無線部を介して、親機の設定値を取得し、操作部を介して、設定値の増減を受け付けた場合、第２無線部を介して、設定値を増減した設定値を、親機に送信する。そして、親機の第１制御部は、第１無線部を介して、設定値を受信した場合、受信した設定値に変更する。これにより、ユーザーは、子機の操作部を操作することで、親機の設定値を調整することができるので、親機に設定値を調整するためのボタン等を設ける必要がない。
【０００８】
ここで、本発明は、赤外線リモートコントローラーのように、ボタンに応じたコードを送信するのではないことに留意されたい。例えば、赤外線リモートコントローラーにより音量を増減する場合、音量の増減を指示するコードが本体装置に送信され、本体装置で音量が増減される。これと異なり、本発明では、子機の第２制御部は、第２無線部を介して、親機の設定値を取得する。そして、第２制御部は、設定値の増減を受け付けた場合、第２無線部を介して、設定値を増減した設定値を、親機に送信する。
【０００９】
また、赤外線リモートコントローラーにおいては、赤外線リモートコントローラーから本体装置にコードが送信される一方向通信である。これと異なり、本発明は、親機と子機とが双方向に通信する。
【００１０】
第２の発明の電話機は、第１の発明の電話機において、前記子機は、スピーカーをさらに備え、前記第２制御部は、前記操作部を介して、設定値の増減を受け付けたときに、設定値を増減した設定値が、設定値の上限、又は、下限である場合、前記スピーカーから警告音を出力することを特徴とする。
【００１１】
本発明では、子機の第２制御部は、操作部を介して、設定値の増減を受け付けたときに、設定値を増減した設定値が、設定値の上限、又は、下限である場合、スピーカーから警告音を出力する。このため、親機に警告音を出力するためのスピーカーを設ける必要がない。また、ユーザーは、警告音を聴くことで、設定値が、上限、又は、下限であることを理解することができる。
【００１２】
第３の発明の電話機は、第１又は第２の発明の電話機において、前記第２制御部は、前記操作部を介して、設定値の増減を受け付けたときに、設定値を増減した設定値が、設定値の上限、又は、下限である場合、設定値を増減した設定値を、前記親機に送信しないことを特徴とする。
【００１３】
第４の発明の電話機は、第１〜第３のいずれかの発明の電話機において、前記第１制御部は、前記第１無線部を介して、設定値を受信した場合、受信した設定値に変更せず、受信した設定値を一時的に反映することを特徴とする。
【００１４】
本発明では、親機の第１制御部は、第１無線部を介して、設定値を受信した場合、受信した設定値に変更せず、受信した設定値を一時的に反映する。例えば、設定値が、表示部の画面のコントラスト値である場合、増減したコントラスト値が反映された画面が一時的に表示される。これにより、ユーザーは、表示部の画面を確認しながら、コントラストを調整することができる。
【００１５】
第５の発明の電話機は、第１〜第４のいずれかの発明の電話機において、前記第２制御部は、前記操作部を介して、設定値の決定を受け付けた場合、前記第２無線部を介して、増減した設定値を登録する登録指示を、前記親機に送信し、前記第１制御部は、前記第１無線部を介して、前記登録指示を受信した場合、受信した設定値に変更することを特徴とする。
【００１６】
本発明では、子機の第２制御部は、操作部を介して、設定値の決定を受け付けた場合、第２無線部を介して、増減した設定値を登録する登録指示を、親機に送信する。そして、親機の第１制御部は、第１無線部を介して、登録指示を受信した場合、受信した設定値に変更する。これにより、ユーザーは、操作部を操作して、増減した設定値に決定することができる。
【００１７】
第６の発明の電話機は、第１〜第５のいずれかの発明の電話機において、前記親機は、表示部をさらに備え、前記親機の設定値は、前記表示部の画面のコントラスト値であることを特徴とする。
【００１８】
本発明では、親機の設定値は、表示部の画面のコントラスト値である。これにより、ユーザーは、操作部を操作して、表示部の画面のコントラストを調整することができる。
【発明の効果】
【００１９】
本発明によれば、親機に設定値を調整するためのボタン等を設ける必要がない。
【図面の簡単な説明】
【００２０】
【図１】本発明の実施形態に係る電話機の構成を示すブロック図である。
【図２】表示部の画面のコントラストを変更する場合の電話機の処理動作を示すシーケンス図である。
【図３】本実施形態に係る電話機の親機の外観を示す平面図である。
【図４】本実施形態に係る電話機の親機の外観を示す背面図である。
【図５】従来の電話機の親機の外観を示す平面図である。
【図６】従来の電話機の親機の外観を示す背面図である。
【発明を実施するための形態】
【００２１】
以下、本発明の実施形態について説明する。図１は、本発明の実施形態に係る電話機の構成を示すブロック図である。図１に示すように、電話機１は、親機２と、子機３と、を備える。親機２は、主制御部２１と、ＲＡＭ（Random Access Memory）２２と、不揮発性メモリ２３と、公衆回線制御部２４と、無線部２５と、表示部２６と、を備える。
【００２２】
主制御部２１（第１制御部）は、不揮発性メモリ２３に記憶されている制御プログラムに従って、親機２を構成する各部を制御する。ＲＡＭ２２は、主制御部２１の主メモリとして機能する。不揮発性メモリ２３は、制御プログラム等を記憶している。公衆回線制御部２４は、公衆回線を制御して、電話を掛ける、電話を切る処理を行う。公衆回線制御部２４は、公衆回線に接続されている。主制御部２１は、公衆回線制御部２４を制御して、他の電話機と通話を行うことができる。
【００２３】
表示部２５は、発信者番号、電話帳に含まれる名前情報等を表示するＬＣＤである。無線部２６（第１無線部）は、子機３と無線通信を行う。例えば、主制御部２１は、無線部２６を介して、表示部２５の画面のコントラスト値を子機３に送信する。
【００２４】
子機３は、主制御部３１と、ＲＡＭ３２と、不揮発性メモリ３３と、表示部３４と、操作部３５と、無線部３６と、音声再生部３７と、スピーカー３８と、を備える。
【００２５】
主制御部３１（第２制御部）は、不揮発性メモリ３３に記憶されている制御プログラムに従って、子機３を構成する各部を制御する。ＲＡＭ３２は、主制御部３１の主メモリとして機能する。不揮発性メモリ３３は、制御プログラム等を記憶している。表示部３４は、発信者番号、電話帳に含まれる名前情報等を表示するＬＣＤである。操作部３５は、ユーザー操作を受け付けるためのものである。操作部３５は、番号ボタン、アップボタン、ダウンボタン、決定ボタン等を含む。無線部３６（第２無線部）は、親機２と無線通信を行う。例えば、主制御部３１は、無線部３６を介して、親機２から送信される表示部２５の画面のコントラスト値を受信する。
【００２６】
音声再生部３７は、音声信号をスピーカー３８に出力して、音声を再生する。例えば、音声再生部３７は、不揮発性メモリ３３に記憶されている着信メロディーをスピーカー３８に出力して、着信メロディーを再生する。また、例えば、音声再生部３７は、不揮発性メモリ３３に記憶されている警告音をスピーカー３８に出力して、警告音を再生する。スピーカー３８は、音声信号に従って、外部に音声を出力する。
【００２７】
ユーザーは、子機３の操作部３５を操作して、表示部２５の画面のコントラストを調整することができる。以下、表示部２５の画面のコントラストを変更する場合の電話機１の処理動作を、図２に示すシーケンス図に基づいて説明する。子機３の主制御部３１は、無線部３６を介して、親機２から、表示部２５の画面の現在のコントラスト値を取得する（Ｓ１）。主制御部３１は、アップボタンの押下を受け付けると（Ｓ２）、現在のコントラスト値を１増加したコントラスト値が、コントラスト値の上限であるか否かを判断する（Ｓ３）。主制御部３１は、現在のコントラスト値を１増加したコントラスト値が、コントラスト値の上限であると判断した場合（Ｓ３：Ｙｅｓ）、音声再生部３７により、スピーカー３８から警告音を出力する（Ｓ４）。
【００２８】
主制御部３１は、現在のコントラスト値を１増加したコントラスト値が、コントラスト値の上限でないと判断した場合（Ｓ３：Ｎｏ）、無線部３５を介して、現在のコントラスト値を１増加したコントラスト値を、親機２に送信する（Ｓ５）。親機２の主制御部２１は、無線部２６を介して、コントラスト値を受信すると、受信したコントラスト値を表示部２５の画面に反映する（Ｓ６）。従って、表示部２５の画面は、コントラスト値が反映されたコントラストに変化する。この段階では、コントラスト値が表示部２５の画面に反映されるのみで、表示されているコントラストに確定していない。
【００２９】
子機３の主制御部３１は、アップボタンの押下を受け付けると（Ｓ７）、コントラスト値を１増加したコントラスト値が、コントラスト値の上限であるか否かを判断する（Ｓ８）。主制御部３１は、コントラスト値を１増加したコントラスト値が、コントラスト値の上限であると判断した場合（Ｓ８：Ｙｅｓ）、音声再生部３７により、スピーカー３８から警告音を出力する（Ｓ９）。主制御部３１は、コントラスト値を１増加したコントラスト値が、コントラスト値の上限でないと判断した場合（Ｓ８：Ｎｏ）、無線部３６を介して、コントラスト値を１増加したコントラスト値を、親機２に送信する（Ｓ１０）。親機の主制御部２１は、無線部２６を介して、コントラスト値を受信すると、受信したコントラスト値を表示部２５の画面に反映する（Ｓ１１）。
【００３０】
子機３の主制御部３１は、ダウンボタンの押下を受け付けると（Ｓ１２）、コントラスト値を１減少したコントラスト値が、コントラスト値の下限であるか否かを判断する（Ｓ１３）。主制御部３１は、コントラスト値を１減少したコントラスト値が、コントラスト値の下限であると判断した場合（Ｓ１３：Ｙｅｓ）、音声再生部３７により、スピーカー３８から警告音を出力する（Ｓ１４）。主制御部３１は、コントラスト値を１減少したコントラスト値が、コントラスト値の下限でないと判断した場合（Ｓ１３：Ｎｏ）、無線部３６を介して、コントラスト値を１減少したコントラスト値を、親機２に送信する（Ｓ１５）。親機２の主制御部２１は、無線部２６を介して、コントラスト値を受信すると、受信したコントラスト値を表示部２５の画面に反映する（Ｓ１６）。
【００３１】
子機３の主制御部３１は、決定ボタンの押下を受け付けると、無線部３６を介して、コントラスト値を登録する登録指示を、親機２に送信する（Ｓ１８）。親機２の主制御部２１は、無線部２６を介して、登録指示を受信した場合、コントラスト値を変更する（Ｓ１９）。主制御部２１は、変更したコントラスト値をＲＡＭ２２に書き込む。この段階で、表示されているコントラストに確定する。従って、コントラスト値は、コントラスト変化前のコントラスト値から、１＋１−１＝１増加する。
【００３２】
親機２の主制御部２１は、コントラスト値を受信した後、登録指示を所定時間経過しなかった場合、コントラスト値を反映した表示部２５の画面を、反映前の表示部２５の画面に戻す。
【００３３】
以上説明したように、本実施形態では、子機３の主制御部３１は、無線部３６を介して、親機２の表示部２５の画面のコントラスト値（設定値）を取得し、操作部３５を介して、コントラスト値の増減（アップボタン、及び、ダウンボタンの押下）を受け付けた場合、無線部３６を介して、コントラスト値を増減したコントラスト値を、親機２に送信する。そして、親機２の主制御部２１は、無線部２６を介して、コントラスト値を受信した場合、受信したコントラスト値に変更する。これにより、ユーザーは、子機３の操作部３５を操作することで、親機２の表示部２５の画面のコントラスト値を調整することができるので、親機２に表示部２５の画面のコントラスト値を調整するためのボタン等を設ける必要がない。図３は、本実施形態に係る電話機１の親機２の外観を示す平面図である。図５と比べて、アップボタン、ダウンボタン、機能／決定ボタンが、親機２から削除されていることがわかる。
【００３４】
ここで、本実施形態に係る電話機１は、赤外線リモートコントローラーのように、ボタンに応じたコードを送信するのではないことに留意されたい。例えば、赤外線リモートコントローラーにより音量を増減する場合、音量の増減を指示するコードが本体装置に送信され、本体装置で音量が増減される。これと異なり、本実施形態では、子機３の主制御部３１は、無線部３６を介して、親機２の表示部２５の画面の設定値を取得する。そして、主制御部３１は、コントラスト値の増減を受け付けた場合、無線部３６を介して、設定値を増減した設定値を、親機２に送信する。
【００３５】
また、赤外線リモートコントローラーにおいては、赤外線リモートコントローラーから本体装置にコードが送信される一方向通信である。これと異なり、本実施形態に係る電話機１は、親機２と子機３が双方向に通信する。
【００３６】
また、本実施形態では、子機３の主制御部３１は、操作部３５を介して、コントラスト値の増減を受け付けたときに、コントラスト値を増減したコントラスト値が、コントラスト値の上限、又は、下限である場合、スピーカー３８から警告音を出力する。このため、親機２に警告音を出力するためのスピーカーを設ける必要がない。また、ユーザーは、警告音を聴くことで、コントラスト値が、上限、又は、下限であることを理解することができる。図４は、本実施形態に係る電話機１の親機２の外観を示す背面図である。図６と比べて、スピーカーが、親機２から削除されていることがわかる。
【００３７】
また、本実施形態では、親機２の主制御部２１は、無線部２６を介して、コントラスト値を受信した場合、受信したコントラスト値に変更せず、受信したコントラスト値を一時的に反映する。従って、増減したコントラスト値が反映された画面が一時的に表示される。これにより、ユーザーは、表示部２５の画面を確認しながら、コントラストを調整することができる。
【００３８】
また、本実施形態では、子機３の主制御部３１は、操作部３５を介して、コントラスト値の決定（決定ボタンの押下）を受け付けた場合、無線部３６を介して、増減したコントラスト値を登録する登録指示を、親機２に送信する。そして、親機２の主制御部２１は、無線部２６を介して、登録指示を受信した場合、受信したコントラスト値に変更する。これにより、ユーザーは、操作部３５を操作して、増減したコントラスト値に決定することができる。
【００３９】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４０】
上述の実施形態では、子機３の主制御部３１は、無線部３６を介して、親機２の表示部２５の画面のコントラスト値（設定値）を取得し、操作部３５を介して、コントラスト値の増減を受け付けた場合、無線部３６を介して、コントラスト値を増減したコントラスト値を、親機２に送信する。そして、親機２の主制御部２１は、無線部２６を介して、コントラスト値を受信した場合、受信したコントラスト値に変更するようになっている。親機２の設定値は、表示部４の画面のコントラスト値に限らず、他の設定値であってもよい。例えば、表示部４のバックライトの値、親機２がスピーカーを備える場合は、音量であってもよい。
【００４１】
上述の実施形態においては、子機３の主制御部３１は、コントラスト値の決定（決定ボタンの押下）を受け付けた場合、無線部３６を介して、増減したコントラスト値を登録する登録指示を、親機２に送信する。そして、親機２の主制御部２１は、無線部２６を介して、登録指示を受信した場合、受信したコントラスト値に変更するようになっている。これに限らず、主制御部３１は、操作部３５を介して、アップダウン、又は、ダウンボタンの押下を受け付けたときに、コントラスト値、及び、登録指示を送信する。そして、主制御部２１は、無線部２６を介して、コントラスト値、及び、登録指示を受信した場合、受信したコントラスト値に変更するようになっていてもよい。
【００４２】
また、主制御部３１は、操作部３５を介して、アップダウン、又は、ダウンボタンの押下を受け付けたときに、コントラスト値を送信する。そして、主制御部２１は、無線部２６を介して、コントラスト値を受信した場合、受信したコントラスト値に変更するようになっていてもよい。
【産業上の利用可能性】
【００４３】
本発明は、電話機に好適に採用され得る。
【符号の説明】
【００４４】
１  電話機
２  親機
２１  主制御部（第１制御部）
２２  ＲＡＭ
２４  公衆回線制御部
２５  表示部
２６  無線部（第１無線部）
３  子機
３１  主制御部（第２制御部）
３５  操作部
３６  無線部（第２無線部）
３８  スピーカー
【図１】
2018042050.tif 000003
【図２】
2018042050.tif 000004
【図３】
2018042050.tif 000005
【図４】
2018042050.tif 000006
【図５】
2018042050.tif 000007
【図６】
2018042050.tif 000008